(57)【要約】【課題】安定した読み取りが可能でかつ、原稿画像の副走査倍率を原稿の表面と裏面で一致させることができる画像読み取り装置を提供する。【解決手段】本発明の画像読み取り装置は、原稿読み取り手段に対して、上流側搬送ローラと下流側搬送ローラとの間に原稿の搬送速度差を与えることを前提とする。そして、第１の読み取り部（ＣＣＤラインセンサ１２６）と第２の読み取り部（ＣＩＳラインセンサ１２８）の主走査読み取り時間を各々独立に変更することにより、第１の読み取り部と第２の読み取り部の読み取り副走査倍率調整を行う。この制御はＣＰＵ３０９によってなされる。【選択図】図３
2008104165.tif 000002
【特許請求の範囲】
【請求項１】
原稿を読み取る第１の読み取り手段と、
原稿搬送方向に関して前記第１の読み取り手段の上流に配置され、第１の搬送速度で原稿を搬送する第１の搬送手段と、
原稿搬送方向に関して前記第１の読み取り手段の下流に配置され、前記第１の搬送速度よりも速い第２の搬送速度で原稿を搬送する第２の搬送手段と、
前記第２の搬送手段により原稿が保持された後の前記第１の読み取り手段の１主走査の走査時間を、前記第２の搬送手段により原稿が保持される前よりも短くなるように制御する制御手段とを備えることを特徴とする画像読み取り装置。
【請求項２】
前記第２の搬送手段の原稿保持力は、前記第１の搬送手段の原稿保持力よりも大きいことを特徴とする請求項１記載の画像読み取り装置。
【請求項３】
前記第２の搬送速度と前記第１の搬送速度との速度差は、前記第１の搬送手段と前記第２の搬送手段との間で原稿にたるみが起きない程度の速度差であることを特徴とする請求項１又は２記載の画像読み取り装置。
【請求項４】
前記第１の読み取り手段は原稿の第１面を読み取るものであって、
前記画像読み取り装置は、前記第２の搬送手段の上流に設けられ、原稿の第２面を読み取る第２の読み取り手段を更に備え、
前記制御手段は、前記第２の搬送手段により原稿が保持された後の前記第２の読み取り手段の１主走査の走査時間を、前記第２の搬送手段により原稿が保持される前よりも短くなるように制御することを特徴とする請求項１乃至３のいずれか１項に記載の画像読み取り装置。
【請求項５】
前記第１の読み取り手段及び前記第２の読み取り手段は、前記第１の搬送手段又は前記第２の搬送手段が原稿を搬送している間に原稿の第１面及び第２面をそれぞれ読み取ることを特徴とする請求項４記載の画像読み取り装置。
【請求項６】
前記制御手段は、前記第１の読み取り手段が原稿を読み取っている最中に１主走査の走査時間を変更することを特徴とする請求項１乃至５のいずれか１項に記載の画像読み取り装置。
【発明の詳細な説明】
【技術分野】
【０００１】
本発明は、デジタル複写機、ファクシミリ、スキャナ等の搬送される原稿の両面を同時に一度の搬送で読み取る両面同時読み取り機構を有する画像読み取り装置に関する。特に、読み取り倍率調整機能を有する画像読み取り装置に関する。
【背景技術】
【０００２】
従来、複写機等に使用される画像読み取り装置には、自動原稿給送装置により原稿を１ページずつ原稿台ガラス上に搬送し、その搬送路に固定された露光装置により露光されて原稿の画像が読み取られる、いわゆる「流し読み」を行うものが知られている。さらには、生産性向上のために画像読み取り手段を２つ設けて、原稿の表裏を一度の搬送で読み取る「両面同時読み取り」を行うものが知られている（例えば、特許文献１参照）。
【０００３】
このような「流し読み」での読み取りが可能な画像読み取り装置では、原稿の搬送速度が変化すると原稿の読み取り倍率に誤差を生じてしまう。このため、原稿が画像読み取り装置の原稿読み取り部を通過する際には、原稿が常に等しい速度で抜けるようにすることが必要である。
【０００４】
例えば、従来の一般的な画像読み取り装置では、読み取り光学系に含まれた流し読みガラスを原稿のパス面に沿うように配置し、原稿がこの流し読みガラスの表面を通過するように搬送路が構成される。
【０００５】
そして、この搬送路には原稿を送るための複数のローラが設けられる。即ち、流し読みガラスへの進入側（搬送上流側）には、原稿を流し読みガラスに対して安定して搬送させるためのローラを設け、排出側（搬送下流側）には、読み取り後の原稿との摩擦によってこれを排出するための排出ローラを設ける。
【０００６】
ここで、後述する図１の画像読み取り装置におけるリードローラ１０８及びリード従動ローラ１０９の搬送速度と、リード排出ローラ１１１及びリード排出従動ローラ１１２と排紙ローラ１１３の速度の異同の影響について述べる。
【０００７】
それぞれの速度を同じに設定にし、搬送速度差をなしとすると、各ローラの仕上がり精度や摩耗等により速度差が生じた場合、原稿読み取り倍率に誤差が生じる場合がある。また、原稿にたるみが発生し、原稿読み取り位置、即ち、流し読みガラス１１６、流し読みガラス１３０位置で原稿が浮く場合があり、解像度などに影響が出る（いわゆるピンボケが発生する）ことがある。
【０００８】
この問題に対して、例えば特許文献２に以下の技術が提案されている。
【０００９】
原稿読み取り部に対して原稿搬送方向の上流側に配置された搬送ローラと下流側に配置された搬送ローラとの間に搬送速度差を与える。具体的には、上流側に配置した原稿搬送ローラの原稿搬送速度に対して、下流側に配置した原稿搬送ローラの原稿搬送速度を大きくする構成をとる。このような機構を採用することで、原稿読み取り部において常に原稿が搬送側に引っ張られるようにして、原稿のたるみをなくし安定した精度のよい読み取りを実現している。
【特許文献１】特開２００４−１８７１４４号公報
【特許文献２】特開平１１−２８９４２０号公報
【発明の開示】
【発明が解決しようとする課題】
【００１０】
しかしながら上記特許文献２の技術では、上述した「両面同時読み取り」のように２つの画像読み取り手段を有する画像読み取り装置の場合に、以下のような不具合が生じる。
【００１１】
各ローラに原稿が進入するタイミング及び原稿後端が各ローラを抜けるタイミングが、表面（第１面）を読み取る流し読みガラス１１６（後述する図１参照）と、裏面（第２面）を読み取る流し読みガラス１３０（後述する図１参照）で異なる。
【００１２】
よって、上流側に配置した原稿搬送ローラの原稿搬送速度に対して、下流側に配置した原稿搬送ローラの原稿搬送速度を大きくすることで安定した読み取りを行うように構成すると、原稿画像の副走査倍率が原稿の表面と裏面で異なってしまう問題点が発生する。
【００１３】
具体的には、上記のように下流側に配置した原稿搬送ローラの原稿搬送速度を大きしてしまうと、裏面側の読み取り画像の副走査倍率が表面の副走査倍率に対して小さくなってしまう問題点が発生する。
【００１４】
本発明の目的は、安定した読み取りが可能でかつ、原稿画像の副走査倍率を原稿の表面と裏面で一致させることができる画像読み取り装置を提供することにある。
【課題を解決するための手段】
【００１５】
上記目的を達成するために、請求項１記載の画像読み取り装置は、原稿を読み取る第１の読み取り手段と、原稿搬送方向に関して前記第１の読み取り手段の上流に配置され、第１の搬送速度で原稿を搬送する第１の搬送手段と、原稿搬送方向に関して前記第１の読み取り手段の下流に配置され、前記第１の搬送速度よりも速い第２の搬送速度で原稿を搬送する第２の搬送手段と、前記第２の搬送手段により原稿が保持された後の前記第１の読み取り手段の１主走査の走査時間を、前記第２の搬送手段により原稿が保持される前よりも短くなるように制御する制御手段とを備えることを特徴とする。
【発明の効果】
【００１６】
本発明によれば、第１の搬送手段が、原稿搬送方向に関して原稿を読み取る第１の読み取り手段の上流に配置され、第１の搬送速度で原稿を搬送し、第２の搬送手段が、原稿搬送方向に関して第１の搬送手段の下流に配置され、第１の搬送速度よりも速い第２の搬送速度で原稿を搬送する。制御手段は、第２の搬送手段により原稿が保持された後の第１の読み取り手段の１主走査の走査時間を、第２の搬送手段により原稿が保持される前よりも短くなるように制御する。
【００１７】
このような構成により、安定した読み取りが可能でかつ、原稿画像の副走査倍率を原稿の表面と裏面で一致させることができるようになる。
【発明を実施するための最良の形態】
【００１８】
以下、本発明の実施の形態を図面を参照しながら詳細に説明する。
【００１９】
図１は、本発明の第１の実施の形態に係る画像読み取り装置の構成を概略的に示す図である。
【００２０】
図１において、画像読み取り装置は、自動原稿給送装置１００と、画像読み取り装置本体１１５とから構成されている。
【００２１】
図２は、図１の画像読み取り装置によって実行される両面原稿読み取り処理の手順を示すフローチャートである。
【００２２】
図１の画像読み取り装置の構成を図２のフローチャートの動作と併せて説明する。
【００２３】
自動原稿給送装置１００において、原稿トレイ１０１は原稿１０２を積載する。原稿トレイ１０１の上方には、給紙ローラ１０３が設けられている。給紙ローラ１０３は、分離搬送ローラ１０４と同一駆動源に接続され、その回転に連れて回転し、原稿を給紙する（ステップＳ２０１）。
【００２４】
給紙ローラ１０３は、通常、ホームポジションである上方の位置に退避しており、原稿のセット作業を阻害しないようになっている。給紙動作が開始されると、給紙ローラ１０３は下降して原稿１０２の上面に当接する。給紙ローラ１０３は、図示しないアームに軸支されているので、アームが揺動することにより上下に移動する。
【００２５】
分離搬送従動ローラ１０５は、分離搬送ローラ１０４の対向側に配置されており、分離搬送ローラ１０４側に押圧されている。分離搬送従動ローラ１０５は、分離搬送ローラ１０４より僅かに摩擦が少ないゴム材等から形成されており、分離搬送ローラ１０４と協働して、給紙ローラ１０３によって給紙される原稿１０２を１枚ずつ捌いて給紙する。
【００２６】
レジストローラ１０６及びレジスト従動ローラ１０７は、分離部で給紙された原稿１０２の先端を揃えるものであり、静止したレジストローラ対のニップ部に向けて分離した原稿１０２の先端を突き当て、原稿１０２にループ（たわみ）を生じさせて、原稿１０２の斜行を矯正する。そして、リードローラ１０８及びリード従動ローラ１０９は、原稿１０２を流し読みガラス１１６に向けて搬送する。流し読みガラス１１６の対向側には、プラテンローラ１１０が配置されている。
【００２７】
流し読みガラス１１６上（第１の読み取り部）を通過する原稿１０２の表面（第１面）の画像情報をＣＣＤラインセンサ１２６にて読み取る（ステップＳ２０２）。ＣＣＤラインセンサ１２６での原稿１０２の表面画像読み取りが終了すると、リード排出ローラ１１１及びリード排出従動ローラ１１２は、原稿をＣＩＳラインセンサ１２８側に搬送する。
【００２８】
ジャンプ台１１７は、流し読みガラス１１６から原稿１０２をすくい上げる。ＣＩＳラインセンサ１２８の対向側には、プラテンローラ１２７が配置されている。流し読みガラス１３０上（第２の読み取り部）を通過する原稿１０２の裏面（第２面）の画像情報をＣＩＳラインセンサ１２８にて読み取る（ステップＳ２０３）、ＣＩＳラインセンサ１２８での原稿１０２の裏面画像読み取りが終了すると、排紙ローラ１１３は原稿１０２を排紙トレイ１１４に排出する（ステップＳ２０４）。
【００２９】
画像読み取り装置本体１１５は、読み取り原稿面に対して光を照射するランプ１１９、及び原稿１０２からの反射光をレンズ１２５及びＣＣＤラインセンサ１２６に導くミラー１２０、１２１、１２２を有する。ランプ１１９及びミラー１２０は、第１ミラー台１２３に取り付けられている。また、ミラー１２１、１２２は、第２ミラー台１２４に取り付けられている。
【００３０】
ミラー台１２３、１２４は、ワイヤ（図示せず）によって駆動モータ（図示せず）と結合され、駆動モータの回転駆動により原稿台ガラス１１８と平行に移動する。原稿１０２からの反射光は、ミラー１２０、１２１、１２２を介してレンズ１２５に導かれ、レンズ１２５によってＣＣＤラインセンサ１２６の受光部に結像される。
【００３１】
ＣＣＤラインセンサ１２６は、結像した反射光を受光素子で光電変換し、入射光量に応じた電気信号を出力する。ＣＩＳラインセンサ１２８も同様に、原稿１０２からの反射光を受光素子で光電変換し、入射光量に応じた電気信号を出力する。
【００３２】
上記構成を有する画像読み取り装置では、原稿１０２を原稿台ガラス１１８上に載置し、第１ミラー台１２３及び第２ミラー台１２４を副走査方向（図中矢印方向）に移動させながら原稿を読み取る原稿固定読み取りモードを有する。
【００３３】
また、第１ミラー台１２３及び第２ミラー台１２４を停止させた状態で、自動原稿給送装置１００によって原稿１０２を搬送させながら、流し読みガラス１１６、１３０位置で原稿を読み取る流し読みモードを有する。この２つのモードで原稿１０２を読み取ることができる。
【００３４】
図３は、本実施の形態に係る画像読み取り装置の機能ブロック図である。
【００３５】
図３において、画像読み取り装置は、原稿の表面を読み取るＣＣＤラインセンサ１２６を駆動するパルス生成を行うパルスジェネレータ回路３０５、ＣＣＤラインセンサ１２６からのアナログ信号をデジタル信号に変換するＡ／Ｄ変換回路３０１を備える。
【００３６】
また、画像読み取り装置は、Ａ／Ｄ変換回路３０１によってデジタル値に変換された画像データにシェーディング補正を行うシェーディング補正回路３０２を備える。また、シェーディング補正が行われたＣＣＤラインセンサ１２６からの画像データを外部機器に出力する画像データ出力ライン３０７を備える。
【００３７】
また、画像読み取り装置は、原稿の裏面を読み取るＣＩＳラインセンサ１２８を駆動するパルス生成を行うパルスジェネレータ回路３０６、ＣＩＳラインセンサ１２８からのアナログ信号をデジタル信号に変換するＡ／Ｄ変換回路３０３を備える。
【００３８】
また、画像読み取り装置は、Ａ／Ｄ変換回路３０３によってデジタルに変換された画像データにシェーディング補正を行うシェーディング補正回路３０４を備える。また、シェーディング補正が行われたＣＩＳラインセンサ１２８からの画像データを外部機器に出力する画像データ出力ライン３０８を備える。また、画像読み取り装置は、全体を制御するＣＰＵ３０９を備える。
【００３９】
パルスジェネレータ回路３０５、３０６は、ＣＰＵ３０９からの設定によりＣＣＤラインセンサ１２６、ＣＩＳラインセンサ１２８の１主走査の走査時間などの駆動条件を変更することができるようになっている。
【００４０】
図４は、図１の画像読み取り装置によって実行される両面原稿読み取り時の原稿搬送処理の手順を示すフローチャートである。
【００４１】
図４において、原稿トレイ１０１上に積載された原稿１０２は、給紙ローラ１０３により最上位の原稿から分離搬送ローラ対間に搬送される（ステップＳ４０１）。原稿が複数枚重なって搬送された場合、分離搬送ローラ１０４と分離搬送従動ローラ１０５は、原稿を１枚に分離して搬送する（ステップＳ４０２）。
【００４２】
１枚に分離された原稿は、下流側にあるレジストローラ対によって原稿の先端を揃えられて、リードローラ対を通過して第１の読み取り部（表面読み取り部）に搬送される。（ステップＳ４０３）。続いて原稿１０２は、リード排出ローラ対を通過して第２の読み取り部（裏面読み取り部）に案内され（ステップＳ４０４）、さらに排紙ローラ１１３に搬送され排紙トレイ１１４に排出され（ステップＳ４０５）、処理を終了する。
【００４３】
図５は、図３の画像読み取り装置によって実行される両面原稿読み取り時のデータ処理の手順を示すフローチャートである。
【００４４】
本処理は、図３におけるＣＰＵ３０９によって実行される。
【００４５】
図５において、まず、原稿給紙を開始し（ステップＳ５０１）、原稿が第１の読み取り部に到達したところで、ＣＣＤラインセンサ１２６の画像データを画像データ出力ライン３０７に転送開始する（ステップＳ５０２）。
【００４６】
原稿が第２の読み取り部に到達したところで、ＣＩＳラインセンサ１２８からの画像データを画像データ出力ライン３０８に出力開始する（ステップＳ５０３）。ＣＩＳラインセンサ１２８から画像データを画像データ出力ライン３０８に転送終了したことを検出すると（ステップＳ５０４でＹＥＳ）、次原稿がある場合は（ステップＳ５０５でＹＥＳ）、次原稿の読み取り動作に移行する。次原稿が無い場合は（ステップＳ５０４でＮＯ）、原稿の両面同時読み取り動作を終了する。
【００４７】
次に原稿搬送速度とＣＣＤラインセンサ１２６の駆動速度について説明する。
【００４８】
Ａ４原稿を１分間６０枚読み取る画像読み取り装置の駆動速度について考えると、１秒間に読み取らなければならない原稿は１枚である。Ａ４サイズの副走査長さは、搬送方向に対して原稿の短手方向が平行になるように原稿をセットしたとき、２１０ｍｍであるが、原稿搬送間隔（紙間）を４０ｍｍとるとすると、１秒間に副走査方向で２５０ｍｍを読める速度でＣＣＤラインセンサ１２６を駆動しなければならない。
【００４９】
６００ｄｐｉの解像度で原稿を読み取る場合を考えると、上記条件のとき、１主走査ラインの走査時間（１主走査ラインを読み取る際に費やす時間；一主走査の走査時間）は以下の式で求められる。
１主走査ライン走査時間＝１ｓｅｃ／（２５０ｍｍ／（２５．４ｍｍ／６００））
１主走査ライン走査時間＝１６９μｓｅｃでＣＣＤラインセンサ１２６を駆動しなければならないことがわかる。裏面を読み取るＣＩＳラインセンサ１２８も同様である。
【００５０】
また、原稿搬送用の各ローラの搬送速度は、上記条件でＣＣＤラインセンサ１２６を駆動する場合、１秒間に２５０ｍｍの搬送スピードで原稿搬送したときに副走査倍率が１００％となる。よって２５０ｍｍ／ｓｅｃの速度で各ローラを駆動する必要がある。
【００５１】
図６は、図１の画像読み取り装置によって搬送される原稿の搬送イメージの第１の例を示す図である。
【００５２】
ここで、リードローラ１０８、リード排出ローラ１１１及び排紙ローラ１１３が仕上がり精度や摩耗等により速度差が生じた場合にも原稿にたるみが起きないように、以下のようにする。即ち、リードローラ１０８、リード排出ローラ１１１に対して排紙ローラ１１３の搬送速度を１％上げて引っ張り駆動する。つまり、リードローラ１０８、リード排出ローラ１１１の搬送速度（第１の搬送速度）と排紙ローラ１１３の搬送速度（第２の搬送速度）との速度差は、リード排出ローラ１１１と排紙ローラ１１３の間で原稿にたるみが起きない程度の速度差である。ここで、排紙ローラ１１３の原稿挟持力（保持力）はリードローラ１０８及びリード排出ローラ１１１の原稿挟持力（保持力）よりも大きく設定されている。また、排紙ローラ１１３により原稿が引っ張られている間は、リードローラ１０８、リード排出ローラ１１１の摩擦力または挟持力が減少するように、それぞれの駆動及び従動ローラの一方が他方に対して離間方向に移動するように構成してもよい。
【００５３】
この場合、原稿１０２が排紙ローラ１１３に進入した際に、原稿１０２の搬送速度が１％速度アップするため、排紙ローラ１１３と第１の読み取り部と第２の読み取り部との位置関係により、表面と裏面の原稿の読み取り副走査倍率が異なってしまう。
【００５４】
ここで、第１の読み取り部から排紙ローラ１１３までの距離が１００ｍｍ、第２の読み取り部から排紙ローラまでの距離が３０ｍｍとする。この構成で、Ａ４原稿を読み取る場合を考えると、第１の読み取り部では１００ｍｍまでは通常速度で原稿が読み取られ、残り１１０ｍｍが１％速度アップして読み取られることとなる。
【００５５】
第２の読み取り部では、３０ｍｍまでは通常速度で原稿１０２が読み取られ、残り１８０ｍｍが１％速度アップして読み取られることとなる。図７（ａ）及び図７（ｂ）にＡ４原稿の場合の例を示す。図７（ａ）は第１の読み取り部を通過する原稿の表面、図７（ｂ）は、第２の読み取り部を通過する原稿の裏面を示す。
【００５６】
このままの状態で原稿を読み取ると、表面読み取り部（第１の読み取り部）の画像データは、以下のサイズで読み取られてしまう。
【００５７】
表面副走査読み取りサイズ＝１００ｍｍ（通常速度領域）＋１１０ｍｍ／１．０１（速度アップ領域）
表面副走査読み取りサイズ≒２０８．９ｍｍ
裏面読み取り部（第２の読み取り部）の画像データは以下のサイズで読み取られてしまう。
【００５８】
裏面副走査読み取りサイズ＝３０ｍｍ（通常速度領域）＋１８０ｍｍ／１．０１（速度アップ領域）
裏面副走査読み取りサイズ≒２０８．２ｍｍ
本来副走査サイズが２１０ｍｍのＡ４原稿を読んだ場合でも実際よりサイズが縮小されてしまう。
【００５９】
ここで、表面の副走査読み取りサイズを２１０ｍｍに調整するために、原稿が排紙ローラ１１３に達するまでの搬送速度を決定するリードローラ１０８、リード排出ローラ１１１の駆動速度については、通常の搬送速度である２５０ｍｍ／ｓｅｃを
表面調整搬送速度＝２５０ｍｍ／ｓｅｃ×２０８．９ｍｍ／２１０ｍｍ
表面調整搬送速度≒２４８．６９ｍｍ／ｓｅｃ
となるように調整（低減）することで、表面の副走査読み取りサイズを２１０ｍｍに調整することができるが、この速度にしても裏面の副走査読み取りサイズは以下のようになり調整できない。
【００６０】
表面調整後の裏面副走査読み取りサイズ＝２１０ｍｍ／２０８．９ｍｍ×２０８．２ｍｍ
表面調整後の裏面副走査読み取りサイズ＝２０９．２９ｍｍ
そのため、本実施の形態では、通常搬送速度を調整することで、まず表面の読み取り画像の副走査倍率を調整し、裏面読み取り画像は、ＣＩＳラインセンサ１２８の１主走査ライン走査時間を調整することで副走査倍率を調整する制御を行う。
【００６１】
例えば上記通常搬送速度調整後、残り調整必要倍率は
２０９．２９ｍｍ／２１０ｍｍ＝９９．６６％
となり、ＣＩＳラインセンサ１２８の１主走査ラインの走査時間をこの分短く（ＣＩＳラインセンサ１２８の読取駆動速度をこの分大きく）すればよい。
【００６２】
裏面調整後の１主走査の走査時間＝１６９μｓｅｃ×０．９９６６
裏面調整後の１主走査の走査時間＝１６８．４２５４μｓｅｃ
よってＣＰＵ３０９からパルスジェネレータ回路３０６へＣＩＳラインセンサ１２８の１主走査ライン走査時間が１６８．４２５４μｓｅｃとなるように設定を行う。
【００６３】
上記表面、裏面の倍率調整はＡ４サイズでの例であり、各原稿サイズによって設定値を変更する必要がある。これは、通常速度で読み取る領域と速度アップして読み取る領域の比が変わるためである。
【００６４】
よってＣＰＵ３０９は、ユーザーから設定された読み取り原稿サイズにより搬送速度を設定し、裏面１主走査ライン時間をパルスジェネレータ回路３０６に設定する動作を行う。
【００６５】
このように制御することにより、搬送下流側ローラの搬送速度を上げて引っ張り駆動した構成をとった場合でも、表面、裏面共に精度のよい副走査倍率調整を行った両面同時読み取りが可能となる。
【００６６】
第２の実施の形態では、第１の実施の形態と同様の構成で、別の制御で読み取り倍率調整する際の画像読み取り動作について説明する。
【００６７】
第１の実施の形態では、通常搬送速度を調整することで、まず表面の読み取り画像の副走査倍率を調整し、裏面読み取り画像はＣＩＳラインセンサ１２８の１主走査の走査時間を調整することで、副走査倍率を調整する制御を行う構成とした。
【００６８】
この構成の場合、Ａ４原稿全体の副走査倍率調整は可能であるが、部分的に見ると原稿１０２が排紙ローラ１１３に進入した時から原稿の搬送速度が１％速度アップする。よって、読み取った原稿画像内で部分的に倍率が異なってしまい、例えば、図８に示すような等間隔に線が並んだような原稿を読み込むと線の幅が排紙ローラ１１３に進入した時から（図のＢの部分）、その前までに読み込んだ部分（図のＡの部分）に対して１％縮小されて読まれてしまう。
【００６９】
そこで、本実施の形態では、原稿が排紙ローラ１１３進入するタイミングをＣＰＵ３０９で検出できるように、原稿１０２を給紙してからの時間をカウントしておく。そして、原稿１０２が排紙ローラ１１３進入するタイミングで、パルスジェネレータ回路３０５、３０６に対してＣＣＤラインセンサ１２６、ＣＩＳラインセンサ１２８の１主走査ラインの走査時間を１％短くする（ＣＣＤラインセンサ１２６、ＣＩＳラインセンサ１２８の読取駆動速度を１％増加する）設定を行う。具体的には以下の計算式の値を設定する。
【００７０】
１主走査の走査時間＝１６９μｓｅｃ／１．０１
１主走査の走査時間＝１６７．３２７μｓｅｃ
よって、原稿１０２が排紙ローラ１１３に進入するまでは、パルスジェネレータ回路３０５、３０６に対して１主走査の走査時間＝１６９μｓｅｃで読み取りを行う設定をしておく。そして、原稿１０２が排紙ローラ１１３に進入するタイミングで、１主走査の走査時間＝１６７．３２７μｓｅｃで読み取りを行う設定をする。
【００７１】
このように制御することにより、搬送下流側ローラの搬送速度を上げて引っ張り駆動した構成をとった場合でも、表面、裏面共に精度の良い副走査倍率調整を行った両面同時読み取りが可能となる。また、原稿サイズによって設定値の変更の必要がない簡易的な構成
での副走査倍率調整が可能となる。
【図面の簡単な説明】
【００７２】
【図１】本発明の第１の実施の形態に係る画像読み取り装置の概略図である。
【図２】図１の画像読み取り装置によって実行される両面原稿読み取り処理のフローチャートである。
【図３】本発明の実施の形態に係る画像読み取り装置の機能ブロック図である。
【図４】画像読み取り装置によって実行される両面原稿読み取り時の原稿搬送処理のフローチャートである。
【図５】画像読み取り装置によって実行される両面原稿読み取り時のデータ処理のフローチャートである。
【図６】図１の画像読み取り装置によって搬送される原稿の搬送イメージの第１の例を示す図である。
【図７】図１の画像読み取り装置によって搬送される原稿の搬送イメージの第２の例を示し、図７（ａ）は第１の読み取り部を通過する原稿の表面、図７（ｂ）は第２の読み取り部を通過する原稿の裏面を示す図である。
【図８】図１の画像読み取り装置によって搬送される原稿の搬送イメージの第３の例を示す図である。
【符号の説明】
【００７３】
１２６  ＣＣＤラインイメージセンサ（第１の読み取り手段）
１２８  ＣＩＳラインイメージセンサ（第２の読み取り手段）
３０１、３０３  Ａ／Ｄ変換回路
３０２、３０４  シェーディング補正回路
３０５、３０６  パルスジェネレータ回路
３０７、３０８  画像データ出力ライン
３０９  ＣＰＵ（制御手段）
【図１】
2008104165.tif 000003
【図２】
2008104165.tif 000004
【図３】
2008104165.tif 000005
【図４】
2008104165.tif 000006
【図５】
2008104165.tif 000007
【図６】
2008104165.tif 000008
【図７】
2008104165.tif 000009
【図８】
2008104165.tif 000010